【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
白内障手術システムであって、
第１の１組のレーザパルスを生成するように構成されたレーザ源と、
前記レーザ源へ接続された誘導光学素子であって、前記第１の１組のレーザパルスを眼内の白内障標的領域へ誘導するように構成された誘導光学素子と、
レーザコントローラであって、
標的走査パターンの電子表示を生成することと、
前記誘導光学素子を制御して、前記第１の１組のレーザパルスを前記標的走査パターンの一部に従って走査して、前記白内障標的領域内に第１の光破壊領域を生成することと、
を行うように構成されたレーザコントローラと、
スペクトル領域光学コヒーレンス断層（ＳＤ−ＯＣＴ）画像化システムであって、０．５〜５百万画素／１画像の画像分解能と、２０〜２００フレーム／秒の範囲内のフレームレートとで、前記第１の光破壊領域の一部を含む画像を生成するように構成される、スペクトル領域光学コヒーレンス断層（ＳＤ−ＯＣＴ）画像化システムと、
前記画像の画像分析を行うように構成されたＯＣＴ画像プロセッサと
を含み、
前記レーザコントローラは、
前記ＯＣＴ画像プロセッサによって行われた前記画像分析に関連して変更された走査パターンの電子表示を生成することと、
前記誘導光学素子を制御して、第２の１組のレーザパルスを前記変更された走査パターンに従って走査して、第２の光破壊領域を生成することと
を行うように構成される、
白内障手術システム。
【請求項２】
前記白内障標的領域は、前嚢層を含み、
前記標的走査パターンは、円形嚢切開、前嚢切開および曲線嚢切開のうち少なくとも１つを形成するための円筒上の１組の標的点を含む、
請求項１に記載の白内障手術システム。
【請求項３】
前記白内障標的領域は、前記水晶体の一部を含み、
前記標的走査パターンは、前記水晶体のチョップ、光破壊および溶解のうち少なくとも１つを発生させるために、ラジアルチョップ面、円筒、螺旋パターンおよびメッシュパターンのうち少なくとも１つの上に１組の標的点を含む、
請求項１に記載の白内障手術システム。
【請求項４】
前記ＳＤ−ＯＣＴ画像化システムは、４ｍｍを超えるｚ画像化範囲を持つように構成される、請求項１に記載の白内障手術システム。
【請求項５】
前記ＳＤ−ＯＣＴ画像化システムは、６ｍｍを超えるｚ画像化範囲を持つように構成される、請求項１に記載の白内障手術システム。
【請求項６】
前記ＳＤ−ＯＣＴ画像化システムは、前記画像を０．１秒未満の画像化時間で生成するように構成される、請求項１に記載の白内障手術システム。
【請求項７】
前記ＳＤ−ＯＣＴ画像化システムは、反復される画像を５００〜２，０００Ａ走査／Ｂ走査の範囲内の（ｘ、ｙ）分解能で生成するように構成される、請求項１に記載の白内障手術システム。
【請求項８】
前記ＯＣＴ画像プロセッサは、前記行われた画像分析に基づいたフィードバックをシステムオペレータのために表示するように構成される、請求項１に記載の白内障手術システム。
【請求項９】
前記ＯＣＴ画像プロセッサは、
前記行われた画像分析に基づいて推奨される変更入力を決定することと、
前記推奨された変更入力を前記システムオペレータのために表示することと
を行うように構成される、請求項８に記載の白内障手術システム。
【請求項１０】
前記ＯＣＴ画像プロセッサは、
前記第１の１組のレーザパルスが生成される前に撮影された基準画像と、前記第１の１組のレーザパルスにより前記第１の光破壊領域が生成された後に撮影された画像との間の差を決定することと、
前記決定された差の通知を表示することと
を行うように構成される、請求項８に記載の白内障手術システム。
【請求項１１】
前記ＯＣＴ画像プロセッサは、前記行われた画像分析に基づいて制御信号を生成して、前記変更された走査パターンの電子表示を前記レーザコントローラに生成させるように、構成される、請求項１に記載の白内障手術システム。
【請求項１２】
前記ＯＣＴ画像プロセッサは、前記標的走査パターンに相対する前記第１の光破壊領域の位置、方向および形状のうち少なくとも１つの逸脱を決定するように構成され、
前記レーザコントローラは、前記決定された逸脱を低減するように、前記変更された走査パターンの前記電子表示を生成するように構成される、
請求項１１に記載の白内障手術レーザシステム。
【請求項１３】
前記ＯＣＴ画像プロセッサは、前記第１の光破壊領域が危険領域内に延びるかを決定するように構成され、
前記レーザコントローラは、前記変更された走査パターンの前記電子表示を生成して、前記第２の１組のレーザパルスを前記危険領域の外部において走査するように構成される、
請求項１１に記載の白内障手術システム。
【請求項１４】
前記ＯＣＴ画像プロセッサおよび前記レーザコントローラは一体型である、請求項１１に記載の白内障手術システム。
【請求項１５】
前記ＯＣＴ画像プロセッサは、手術副産物を認識するように構成され、
前記レーザコントローラは、前記変更された走査パターンが前記手術副産物と重複しないように、前記変更された走査パターンの前記電子表示を生成するように構成される、
請求項１１に記載の白内障手術システム。
【請求項１６】
前記標的走査パターンはチョップパターンであり、
前記ＯＣＴ画像プロセッサは、気泡を前記手術副産物として認識するように構成され、
前記レーザコントローラは、回転されたチョップパターンの電子表示を前記変更された走査パターンとして生成するように構成され、これにより、前記回転されたチョップパターンが前記気泡と重複しなくなる、
請求項１５に記載の白内障手術システム。
【請求項１７】
前記ＯＣＴ画像プロセッサは、光破壊効率が限定された前記第１の光破壊領域の一部を特定するように構成され、
前記レーザコントローラは、前記変更された走査パターンの前記電子表示を生成して、前記特定された部分を再走査するように構成される、
請求項１１に記載の白内障手術システム。
【請求項１８】
前記ＯＣＴ画像プロセッサは、
前記画像のうち前記第１の光破壊領域と異なる部分を分析することと、
この分析に基づいてフィードバックを生成することと
を行うように構成される、請求項１１に記載の白内障手術システム。
【請求項１９】
前記ＳＤ−ＯＣＴ画像化システムは、スペクトロメータベースのＯＣＴ画像化システムを含み、
広帯域ビームを生成する広帯域光源と、
ビーム誘導システムであって、
前記広帯域ビームを分割して画像ビームおよび基準ビームとすることと、
前記画像ビームを前記眼へ誘導し、前記眼からの返送画像ビームを誘導することと、
前記基準ビームを基準ミラーへ誘導し、前記基準ミラーからの返送基準ビームを誘導することと、
前記返送画像ビームおよび前記返送基準ビームを結合して、結合ビームを得ること
を行う、ビーム誘導システムと、
前記結合ビームを受信するように構成されたＯＣＴカメラであって、
前記結合ビームを分解してスペクトル成分を得るスペクトル分解装置、
前記スペクトル成分を感知するセンサーアレイ、
前記感知されたスペクトル成分からフーリエ変換を生成する高速フーリエ変換器システム、および
前記フーリエ変換されたスペクトル成分から画像を生成する画像生成器
を含む、ＯＣＴカメラと
を含む、
請求項１に記載の白内障手術システム。
【請求項２０】
前記ＳＤ−ＯＣＴ画像化システムは、
標的走査パターン制御信号を出力するように構成された専用入力／出力ボード
を含み、
前記専用入力／出力ボードは、
専用メモリコントローラ、
データバッファ、および
出力デジタル／アナログ変換器
を含み、
前記ＳＤ−ＯＣＴ画像化システムによる画像化は、前記出力デジタル／アナログ変換器による前記標的走査パターン制御信号の出力と同期される、
請求項１９に記載の白内障手術システム。